(57)【要約】無線ローカルエリアネットワークでの使用のために、チャネル静寂／測定要求要素が提供される。本発明の統一の要素は、チャネル静寂を実行するための機能と、ネットワークの１つ以上のステーションの測定要求を行うための機能の２つの機能を統合する。本発明のその他の態様によると、従来のチャネル静寂要素が、チャネル静寂を実行するためのオフセット時間とオフセット持続時間とを定めるための用意を有するように修正される。
2005520398.tif 000002
【特許請求の範囲】
【請求項１】
無線ローカルエリアネットワークと、発信ノードと複数の宛先ノードを有するネットワークと、統一のチャネル静寂／測定要求要素とを有するシステムにおいて、
動作の現在のチャネルを静寂化させるための手段と、
前記複数の宛先ノードのうちの少なくとも１つの測定要求を行うための手段と、
を有し、
前記静寂化させるための手段と、前記測定要求を行うための手段とが、同時又は独立に実行されることがあるシステム。
【請求項２】
請求項１に記載のシステムであって、
前記発信ノードが、アクセスポイントであり、
前記複数の宛先ノードが、前記アクセスポイントに関連するステーションであるシステム。
【請求項３】
請求項１に記載のシステムであって、
前記要素が、MACレイヤで単一のプロトコルにより定められるシステム。
【請求項４】
請求項１に記載のシステムであって、
前記要素が、複数のビーコン間隔の期間を定めるための手段を有し、
前記複数のビーコン間隔の期間の間に、前記静寂化させるための手段と、前記測定要求を行うための手段とが実行されるシステム。
【請求項５】
請求項４に記載のシステムであって、
前記要素が、前記チャネル静寂化手段及び／又は前記測定要求手段を開始する前に前記ビーコン間隔の期間のそれぞれで最初に経過しなければならないオフセット時間を定めるための手段を更に有するシステム。
【請求項６】
請求項５に記載のシステムであって、
前記要求要素が、静寂時間間隔を定めるための手段を更に有し、
前記静寂時間間隔内で、前記チャネル静寂化手段が前記ビーコン間隔の期間のそれぞれで実行されるシステム。
【請求項７】
請求項１に記載のシステムであって、
前記要素が、前記静寂化手段及び／又は前記測定要求手段が実行される１つ以上の更なるチャネルを定めるための手段を更に有するシステム。
【請求項８】
請求項１に記載のシステムであって、
前記測定要求を行うための手段が、１つ以上の測定を定めるための手段を更に有するシステム。
【請求項９】
請求項１に記載のシステムであって、
IEEE802.11(h)仕様に従って動作するシステム。
【請求項１０】
無線ローカルエリアネットワーク（WLAN）で単一の統一のチャネル静寂／測定要求要素を介してチャネル静寂を実行し、及び／又は測定要求を行うための方法であって、
(a)前記WLANで発信ノードから少なくとも１つの宛先ノードに前記要素を伝送するステップと、
前記少なくとも１つの宛先ノードで前記要素を受信すると、
(b)前記要素に含まれる第１のパラメータから、前記チャネル静寂及び／又は測定要求が実行される複数のビーコン間隔の期間を判断するステップと、
(c)前記要素に含まれる第２のパラメータから、前記チャネル静寂を実行し、及び／又は測定要求を行う前に、最初に終了しなければならない時間を定めるオフセット時間を判断するステップと、
(d)前記要素に含まれる第３のパラメータから、前記チャネルが静寂化し、及び／又は測定が実行される持続時間を定める静寂時間を判断するステップと、
(e)前記要素に含まれる少なくとも第４のパラメータから、前記測定要求を行うことにより実行される少なくとも１つの測定を判断するための少なくとも１つの測定識別子を判断するステップと、
(f)前記第１と第２と第３と少なくとも第４のパラメータに従って、チャネル静寂及び／又は測定要求の動作を実行するステップと
を有する方法。
【請求項１１】
請求項１０に記載の方法であって、
前記オフセット時間が、伝送単位で定められ、前記複数の定められたビーコン間隔の期間の目標ビーコン送信時間から測定される方法。
【請求項１２】
請求項１０に記載の方法であって、
前記静寂時間が、伝送単位で定められる方法。
【請求項１３】
請求項１０に記載の方法であって、
前記要求要素が、前記チャネル静寂及び／又は測定が実行される少なくとも１つの更なるチャネルを定めるチャネルリストを更に有する方法。
【請求項１４】
請求項１０に記載の方法であって、
前記パラメータが、前記発信ノードからその後に伝送された要素でリセットされる方法。
【請求項１５】
無線ローカルエリアネットワーク（WLAN）でチャネル静寂を実行するための方法であって、
(a)前記WLANで発信ノードから少なくとも１つの宛先ノードにチャネル静寂要素を含む管理フレームを伝送するステップであって、前記チャネル静寂要素が動作の現在のチャネルでチャネル静寂を実行するための１つ以上のパラメータを更に有するステップと、
前記少なくとも１つの宛先ノードで、
(b)前記伝送されたチャネル静寂要素の第１のパラメータから、前記チャネル静寂を実行するための所定の複数のビーコン間隔の期間を判断するステップと、
(c)前記伝送されたチャネル静寂要素の第２のパラメータから、前記所定の複数のビーコン間隔の期間のそれぞれで前記チャネル静寂の開始を遅延させるためのオフセット時間を判断するステップと、
(d)前記伝送されたチャネル静寂要素の第３のパラメータから、前記チャネル静寂が前記所定の複数のビーコン間隔の期間のそれぞれで実行される時間の長さを定めるための静寂時間期間を判断するステップと、
(f)前記第１と第２と第３のパラメータに従って、チャネル静寂を実行するステップと
を有する方法。
【請求項１６】
無線ローカルエリアネットワーク（WLAN）で管理フレームの一部として伝送されるチャネル静寂要素であって、
前記チャネル静寂の開始の前にビーコン間隔で最初に経過しなければならないオフセット時間を定めるための手段と、
チャネル静寂時間を定めるための手段と
を有し、
前記チャネル静寂が、前記オフセット時間の終了の後に前記ビーコン間隔内で実行されるチャネル静寂要素。
【発明の詳細な説明】
【技術分野】
【０００１】
本発明は、無線ローカルエリアネットワーク（WLAN）に関するものである。特に、本発明は、WLANのMACレイヤで単一の統一の測定／静寂要求要素を提供するための方法とシステムに関するものである。
【背景技術】
【０００２】
無線ローカルエリアネットワーク（WLAN）に基づく802.11の測定を実行するために2002年1月のIEEE802.11hD.11草案の基準に定められた現在の機構が、図１ａ−ｃに示されており、記載されている。
【０００３】
図１ａは、無線ローカルエリアネットワーク（WLAN）で測定要求を測定するために、スペクトル管理フレームの一部として含まれるチャネル測定要求フレーム10のフォーマットを示したものである。チャネル測定要求フレーム10は、特に、測定要求要素を特定するための‘チャネル測定方法‘要素フィールドを有する。２つの形式の測定要求要素が、図１ｂと１ｃにそれぞれ示されている。
【０００４】
図１ｂは、基本的な測定要求要素20を示したものであり、図１ｃは、CF形式の測定要求要素30を示したものである。
【０００５】
現在、IEEE802.11標準は、現在の動作チャネルで伝送が生じるべきではない間の間隔を定める静寂チャネル要素を提供する。この間隔は、BSS又はIBSSの他のSTAからの干渉することなく、図１ｂと１ｃで特定されたようなチャネル測定を行う際に援助するために使用されることがある。例えば、静寂チャネル要素は、干渉することなく、主たるユーザにチャネルがより容易にテストされることを可能にするために使用されることがある。
【発明の開示】
【発明が解決しようとする課題】
【０００６】
チャネルを静寂化させるための現在の機構の１つの欠点は、チャネル静寂要素がビーコン伝送の一部として伝送されることがあるに過ぎない点である。5GHz帯での動作のために欧州のDFS規制要件を満たすために、直前に伝送されたチャネル静寂要素を変更することが必要であることがある点、その他には連続的なビーコン伝送の間に新しいチャネル静寂要素を伝送することが必要であることがある点で、前記のことは限定的である。
【０００７】
現在の静寂チャネル要素のその他の欠点は、その要素で特定された静寂時間が、ビーコン伝送の直後に開始することである。特定の場合には、レーダー伝送が予期される時に、ビーコン伝送の開始後に少しして静寂時間が開始する望ましい。このように、全体のビーコン間隔の間にチャネルを静寂化させる必要はない。
【０００８】
現在のチャネル静寂機構の更なる欠点は、それが図１ａのチャネル測定要素に統合又は結合されていないことである。それぞれの伝送で同期を必要とする２つのフレームの要求が必要である際に、このことが問題になる。
【０００９】
従って、ビーコン間隔内でチャネル静寂を予定するオフセット時間を提供する機能を追加し、それによってビーコン伝送の開始直後にチャネル静寂が常に開始されるという制限を克服することが望ましい。また、チャネル静寂要素とチャネル測定要素を単一の統一の要素に統合し、それによってMACプロトコルを簡略化し、チャネルでの‘純粋な’測定を行う更に簡素化した手段を提供することが望ましい。
【課題を解決するための手段】
【００１０】
本発明は、WALNで使用するための統一の要素を提供することにより、前述の必要性に対処し、前記要素は、ネットワークのステーション（STA）のチャネルを静寂化させるための機能及び／又は測定要求を行うための機能を特に統合する。前記の機能は、現在ではチャネル静寂要素と測定要求（MRQ）要素でそれぞれ別に提供されている。
【００１１】
１つの実施例によると、本発明の統一の要素のフォーマットは、チャネル静寂及び／又は測定要求が繰り返されるべき複数のビーコン間隔を特定するための“カウント”フィールドを含む複数のフィールドを有する。“オフセット”フィールドと称される第２のフィールドは、“カウント”フィールドで特定されたビーコン間隔毎に、ビーコン間隔の開始から測定された時間間隔（すなわちオフセット時間）を特定し、その後にSTAが伝送を中断し、及び／又は測定要求を行う。オフセットフィールドと共に使用される第３のフィールドは、特定された“オフセット”時間の終了から開始時間が測定される時間間隔を特定するための“静寂時間”フィールドと称される。静寂時間は、STAが伝送を中断し、及び／又は測定要求を行う時間間隔を特定する。本発明の単一の統一の要素の更なるフィールドは、要求される特定の測定を特定するための“測定ID”フィールドと、チャネル静寂及び／又は測定要求が実行される１つ以上のチャネルを特定するための“チャネルリスト”とを有する。
【００１２】
本発明の統一の要素の１つの利点は、チャネル静寂と測定の双方の要求規定を単一の統一の要素に組み合わせることにより、MACプロトコルが簡略化されることである。その他の利点は、ビーコン間隔に関係せずに統一の要素を伝送する機能であり、それによって先行技術のチャネル静寂／測定方法に通常関連している待ち時間を減少させる。その待ち時間を減少させることにより、5GHz帯で動作するWLANの欧州のDFS規制要件がより容易に満たされる。
【００１３】
本発明のその他の態様によると、オフセット機能を有するチャネル静寂要素が提供される。チャネル静寂要素は、オフセット機能を組み込むように変更された本質的に従来のチャネル静寂要素である。特に、チャネル静寂要素は、従来のチャネル静寂要素での使用に利用可能でない２つのパラメータを有する。“オフセット”パラメータとここで称される第１のパラメータは、チャネル静寂が生じ得る前のそれぞれの特定されたビーコン間隔で最初に終了しなければならないオフセット時間を定める。“静寂時間”パラメータとここで称される第２のパラメータは、オフセット時間の終了から始まる時間間隔を定め、そのオフセット時間の終了時にチャネル静寂が実行される。オフセット時間のパラメータと静寂時間のパラメータの組み合わせは、それぞれのビーコン間隔でチャネル静寂が実行される‘ウィンドウ’を本質的に定める。
【発明の効果】
【００１４】
本発明のチャネル静寂要素の利点は、チャネル静寂がより柔軟的に実行されるということである。すなわち、オフセット機能は、ビーコン伝送の開始後の如何なる時点においてチャネル静寂を実行するための機能を提供する。この機能は、従来のチャネル静寂要素に必要な全体のビーコン間隔の間にチャネルを静寂化させる関連した欠点がなく、レーダー伝送が予期される時に（例えばビーコン間隔の終了近くに）チャネルを静寂化させるために使用されることがある。
【００１５】
注意すべき点は、本発明は5GHz帯で動作するWLANでの使用に適した用途を見出すが、2.4GHz帯のようなその他の帯域での使用にも同等に適用可能であるということである。
【発明を実施するための最良の形態】
【００１６】
本発明の方法と装置の更に完全なる理解が、以下の詳細な説明を参照することにより、添付の図面と共に考慮して得られることがある。
【００１７】
以下の説明において、限定のためではなく説明のため、本発明の完全な理解を提供するために、特定のアーキテクチャ、インタフェース、技術等のような特定の詳細が示される。不要な詳細で本発明の説明をあいまいにしないように、簡潔さと明瞭性のため、周知の装置と回路と方法の詳細な説明が省略される。
【００１８】
統一のチャネル静寂／測定／要求要素は、その名前が示す通り、無線ローカルエリアネットワーク（WLAN）でチャネル静寂を実行するためのパラメータ及び／又は測定要求を行うためのパラメータを有する。本発明の統一の要素によると、単一のチャネル要素は、所定の複数のビーコン間隔の間に、及び各ビーコン間隔内の所定の開始時間と持続時間の間にチャネルを静寂化させること、並びに／又は、所定の複数のビーコン間隔の間に、及び各ビーコン間隔内の所定の開始時間と持続時間の間に測定要求を行うことの２つの機能を提供する。
【００１９】
図２は、本発明の実施例が適用される代表的なネットワーク200を示したものである。本発明の原理によると、AP205により、AP205に関連する１つ以上のSTA210に伝送されることがある単一の統一の要素202が提供され、いくつかの数のビーコン間隔の間に、測定を要求し、及び／又はSTA210を静寂化させる。注意すべき点は、図２に示されるネットワークは、説明のため、小さいことである。実際には、ほとんどのネットワークは、更に多くの数の移動STA210を有する。
【００２０】
図３を参照すると、図２に示されるWLAN200内のAP205と各STA210は、図３のブロック図に示されるアーキテクチャを備えたシステムを有することがある。AP205とSTA210の双方は、ディスプレイ30と、CPU32と、送信機／受信機34と、入力装置36と、ストレージ・モジュール38と、ランダムアクセスメモリ（RAM）40と、読み取り専用メモリ42と、共通バス41とを有する。特定のコンピュータシステムについて説明する際に共通に使用される用語を説明が参照することがあるが、その説明と概念は、図３に示されるものと異なるアーキテクチャを有するシステムを含むその他の処理システムにも同様に適用する。送信機／受信機34は、アンテナ（図示なし）と結合され、望ましいデータを伝送し、その受信機が受信信号を対応するデジタルデータに変換する。CPUはROM42に含まれるオペレーティングシステムの制御下で動作し、APがそのBSSに関連する全てのステーション（STA）に新しいチャネル又は無線リンクを提供することを可能にすることにより、無線ローカルエリアネットワーク（WLAN）内で周波数選択を実行するためにRAM40を利用する。
【００２１】
図２を続けて参照して、本発明によるチャネル静寂及び／又は測定要求を行うために、本発明の統一の要素を含む管理フレームが、AP205からネットワークの１つ以上のSTA210に伝送され、そのSTA210はAP205に関連付けられている。統一の要素202は、チャネル静寂を実行する方法及び／又は測定を行う方法についてSTA210に指示するためのパラメータ値を有する。本発明の統一の要素202のフォーマットが、次に更に詳細に説明される。第II部では、前述の通り、オフセット機能を組み込むように修正された従来のチャネル静寂要素の説明が提供される。
［I.統一の要素の説明］
次に図４を参照すると、本発明の要素202のフォーマットが示されている。“要素ID”と“長さ”のフィールドに加えて、統一の要素202は、３つのサブフィールド（測定が繰り返されるべきビーコン間隔の数を特定するための“カウント”サブフィールド43aと、その後にステーション（STA）が伝送するべきでない目標ビーコン伝送時間（TBTT）から始まるTU（時間単位）での時間間隔を特定するための“オフセット”サブフィールド43bと、STAが伝送するべきでない‘オフセット’の終了から始まるTUでの時間間隔を特定するための“静寂時間”サブフィールド43c）で構成された“測定時間”フィールド43を有する。統一の要素202はまた、測定を行うネットワークで１つ以上のチャネルを選択するための“チャネルリスト”フィールド45と、行われる１つ以上の測定を特定するための“測定ID”フィールド47とを有する。
［統一の要素の使用例］
複数の例示的な一般的な事例が以下に説明され、本発明の統一の要素202の機能を広く示す。特に、本発明の統一の要素202に含まれる１つ以上のパラメータ値を変化することにより、測定要求を行い、チャネル静寂を実行する際に固有の柔軟性を示すために、特定の事例が選択された。しかし、当然のことながら、特定の事例は限定的ではなく、本発明の更に完全な理解を容易にする例として提供されたものである。
［第１の事例］
第１の事例において、本発明の統一の要素202は、全く関連する測定要求を行うことなく、単一のビーコン間隔でチャネル静寂を実行するためにのみ使用される。
【００２２】
次に図５ａを参照すると、測定要求を含むことなく、全体の単一のビーコン間隔でチャネル静寂を実行する目的で、統一の要素202を伝送した結果を示した部分的な時系列が示されている。
【００２３】
この事例において、現在のチャネルは、全体の単一のビーコン間隔の間に静寂化している。単一のビーコン間隔は、単一の要素202の“カウント”フィールド43aを1に設定することにより選択される。説明のため、静寂化する時間間隔として、第２のビーコン間隔55が任意的に選択されている。
【００２４】
この事例において、全体のビーコン間隔の間に現在のチャネルが静寂化している。前記で“オフセット”フィールド43bとして称された第１のパラメータは、0に設定されなければならない。そうすることで、チャネル静寂がビーコン間隔の開始（時点“A”）と同時に始まる。前記で“静寂時間”フィールド43cとして称された第２のパラメータは、時間単位（TU）でビーコン間隔の持続時間と等しい値に設定され、この事例では100TUである。
【００２５】
この事例において、測定要求は行われない。従って、図４の“測定ID”要素47は含まれない。
【００２６】
前述され、図５ａに示された第１の事例の適切なパラメータ設定が、以下の表に要約される。
【００２７】
【表１】
2005520398.tif 000003
100TUがビーコン間隔の長さであると仮定される。
［第２の事例］
第２の事例において、本発明の統一の要素は、関連する測定要求を行うことなく、単一のビーコン間隔でチャネル静寂を実行するためにのみ使用される。この事例は、チャネル静寂が単一のビーコン間隔の一部でのみ実行されるという点で、第１のものと区別できる。
【００２８】
次に図５ｂを参照すると、測定要求を行うことなく、部分的な単一のビーコン間隔でチャネル静寂を実行するために、統一の要素202を伝送した結果を示した部分的な時系列が示されている。
【００２９】
前述のものと同様に、単一のビーコン間隔を選択するために、“カウント”フィールド43aが1に設定される。ビーコン間隔の部分的な間隔でのみ静寂を実行するために、ゼロでないオフセット値43bが必要になる。オフセット値は、0＜オフセット＜ビーコン間隔の長さ（例えば100TU）の範囲の如何なる値にもなり得る。説明の容易のため、任意のゼロでないオフセット値が、ビーコン間隔のある一部として計算されることがある。
【００３０】
オフセット値=0.2*ビーコン間隔=0.2*100=20        (1)
オフセット値が本発明の統一の要素202で利用される場合、“静寂時間”パラメータとしてここで称される対応するパラメータが定められなければならない。説明の容易のため、以下のように任意の静寂時間パラメータ値がビーコン間隔のある一部として計算されることがある。
【００３１】
静寂時間=0.4*ビーコン間隔=0.4*100=40TU        (2)
注意すべき点は、オフセット時間パラメータと静寂時間パラメータの組み合わせが本質的にウィンドウ（例えば開始時間と持続時間）を定めることであり、そのウィンドウ内でチャネル静寂がビーコン間隔内で実行される。このウィンドウは図５ｂで“B”としてラベルを付されている。
【００３２】
前述され、図５ｂに示された例示的な第２の事例のパラメータ設定が、以下の表に要約される。
【００３３】
【表２】
2005520398.tif 000004
100TUがビーコン間隔の長さであると仮定される。
この事例において、測定要求は行われず、それ故に図４の測定ID要素47が含まれない。
［第３の事例］
この事例は、無限の数のビーコン間隔の間に、チャネル静寂が実行されるという点で初めの２つと区別できる。すなわち、無限の数の間隔でチャネル静寂及び／又は測定を実行する指示を含む統一の要素202がブロードキャストされると、異なる指示を有するその後の統一の要素202がブロードキャストされるような時間まで、その後各ビーコン間隔でその要求が実行される。
【００３４】
次に図５ｃを参照すると、測定要求を行うことなく、無限の数のビーコン間隔で連続的なチャネル静寂を実行するための統一の要素202を伝送した結果を示した部分的な時系列が示されている。
【００３５】
注意すべき点は、図５ｃは、その他のものを示すその後の統一の要素202が受信されるまで、特定された動作が全てのそれぞれのビーコン間隔で実行されることを主に示すために提供されていることである。この例において、関連する測定を行わずに、部分的な間隔でチャネル静寂を実行する動作が、単に説明の目的で示されている。
【００３６】
ビーコン間隔の連続でチャネル静寂を実行するために、例示的な実施例では“カウント”フィールド43aは、16進数の0xFFに設定される。その他の点では、説明の容易のため、残りのパラメータは第２の事例に説明されたものと同一であり、それ故に更に説明されない。
【００３７】
前述され、図５ｃに示された第３の事例の適切なフィールド設定が、以下の表に要約される。
【００３８】
【表３】
2005520398.tif 000005
この事例において、測定要求は行われず、それ故に図４の測定ID要素47が含まれない。
［第４の事例］
第４の事例において、チャネル静寂と測定要求の双方を実行するために、本発明の統一の要素202が使用される。２つの動作は、本発明の統一の要素202の新規性を強調する。図示された例において、２つの動作は各ビーコン間隔の一部で無限の数のビーコン間隔で実行される。
【００３９】
次に図５ｄを参照すると、１つ以上の測定要求を行う間に、部分的なビーコン間隔でチャネル静寂を実行するための統一の要素202を伝送した効果を示した部分的な時系列が示されている。
【００４０】
測定要求が行われる毎に、図４の測定ID要素47が統一の要素202に含まれる。
【００４１】
パラメータ設定は、第２の事例で上記に示されたものと同じであるが、チャネルリストと測定ID要素についていくつかの例示的な設定もまた示されている。
【００４２】
【表４】
2005520398.tif 000006
［チャネル静寂を実行せずに、測定の実施］
チャネル静寂を実行することなく、排他的に測定を行うために、静寂時間パラメータは0の値に設定されなければならない。１つ以上の測定要求を特定するために、１つ以上の測定識別子が統一の要素202の“測定ID”フィールドに含まれなければならない。
【００４３】
要約すると、チャネル測定／静寂を実行するための先行技術の方法に対する本発明の統一の要素202の利点には、簡略化されたMACプロトコルと、２つの専用フレーム（静寂フレームと管理フレーム）の代わりに１つのフレームを伝送することによる伝送におけるより高い信頼性と、測定を実行する柔軟性と、静寂時間を予定する際の柔軟性とが含まれる。更に、柔軟な測定及び／又はチャネル静寂の選択肢を備えた統一の要素を提供することにより、チャネルの事前の主なユーザの潜在的な存在が、より容易に判断されることがある。この機能は、欧州無線通信委員会（ERC）により課された要件を満たすことを促進し、5GHz帯又はその他の帯域（すなわち2.4GHz）での802.11WLANの動作の性能を向上させる。本発明は、IEEE802.11bPHY仕様のような異なる物理レイヤの仕様を使用して、2.4GHzのような他の周波数帯に容易に拡張されることができることは当業者に明らかである。
［II.修正された従来のチャネル静寂要素］
前述の通り、本発明の統一の要素202は、チャネル静寂を実行し、及び／又は測定要求を行うための可変のオフセット時間を特定することができることによって、柔軟性のある測定を行う利点を提供する。現在、この機能は、IEEE802.11標準で定められたような従来のチャネル静寂要素に存在しない。しかし、オフセット時間の機能は、従来のチャネル静寂要素に組み込むことが望ましい。従って、この用途は、統一の要素202について前述されたようなオフセット機能を提供する‘修正された’チャネル静寂要素を更に提供する。換言すると、従来のチャネル静寂要素は、前述の２つのパラメータ（オフセットパラメータと静寂時間パラメータ）を組み込むという点で修正され、各ビーコン間隔にチャネル静寂‘ウィンドウ’を作る機能を本質的に提供する。それを行うことで、従来のチャネル静寂要素に必要とされるもののような全体のビーコン間隔の間にチャネルを静寂化させる関連した欠点がなく、レーダー伝送が予期される時に（例えばビーコン間隔の終了近くに）チャネルが静寂化することがある。
【００４４】
図６は、変更された従来のチャネル静寂要素で前記のオフセット機能を示す部分的な時系列を示したものである。図示された例において、チャネル静寂は部分的な単一のビーコン間隔（例えば第２のビーコン間隔）で実行される。オフセット時間は、前述のものと同じように定められる。すなわち、オフセット時間は、チャネル静寂が開始することがある前にビーコン間隔内で最初に終了しなければならない時間を定める。オフセット時間は、図６で“A”のラベルを付され、ビーコン間隔の範囲内の値を有する単一のパラメータとして、修正されたチャネル静寂要素に含まれる。対応する“静寂時間”パラメータは、図６で“B”のラベルを付されたチャネル静寂‘ウィンドウ’の長さを定める。
【００４５】
オフセットと静寂時間パラメータを組み込んだ本発明の修正されたチャネル静寂要素は、統一の要素に関して前述されたものと類似した利点を提供する。特に、修正されると、従来のチャネル静寂要素は、２つのオフセットに関するパラメータとして具現されたオフセット機能を提供することにより、柔軟性のあるチャネル静寂の選択肢を提供する。特に、オフセットパラメータは、オフセット時間と静寂時間の持続時間のパラメータを定め、それらが集合して、全体の間隔を静寂する関連した欠点がなく、レーダー伝送が予期されるビーコン間隔の何らかの部分でチャネル静寂を実行するための機能を提供するチャネル静寂“ウィンドウ”を定める。
【００４６】
前述のことは、本発明の例示的な実施例に過ぎないものとして解釈されるべきである。当業者は、本発明の基本的な原理又は範囲から全く逸脱することなく、この実施例に類似した機能を提供するその他の構成を容易に着想することができる。
【図面の簡単な説明】
【００４７】
【図１】aは、スペクトル管理フレームの一部として含まれるチャネル測定要求フレームのフォーマットを示したものである。ｂは、基本的な測定要求要素を示したものである。ｃは、CF形式の測定要求要素を示したものである。
【図２】本発明の実施例が適用される代表的なネットワークを示したものである。
【図３】本発明の実施例によるアクセスポイント（AP）と各ステーション（STA）の簡略化されたブロック図を示したものである。
【図４】本発明の実施例による測定／静寂要求（MRQ）要素のフォーマットを示したものである。
【図５】a乃至ｄは、本発明の実施例に従ってチャネル静寂を実行し、及び／又は測定要求を行う目的で、統一の要素を伝送する効果を示すための部分的な時系列を示したものである。
【図６】チャネル静寂要素で使用されるオフセットパラメータを示したものである。
【図１】
2005520398.tif 000007
【図２】
2005520398.tif 000008
【図３】
2005520398.tif 000009
【図４】
2005520398.tif 000010
【図５】
2005520398.tif 000011
【図６】
2005520398.tif 000012
【国際調査報告】
2005520398.tif 000013
2005520398.tif 000014
2005520398.tif 000015